(57)【要約】【課題】効率的にモジュラ端子とケーブル（束ケーブル）との結線を可能にするモジュラ端子板を提供することを目的とする。【解決手段】束ケーブル内にある複数のケーブルを、複数の配列されたモジュラ端子に配線して、前記モジュラ端子と前記ケーブルとを結線するモジュラ端子板において、前記複数のモジュラ端子は、当該モジュラ端子板の中心から等距離に配置することにより、上記課題を解決する。【選択図】　　　　図５
2004111275.tif 000002
【特許請求の範囲】
【請求項１】
束ケーブル内にある複数のケーブルを、複数の配列されたモジュラ端子に配線して、前記モジュラ端子と前記ケーブルとを結線するモジュラ端子板において、
前記複数のモジュラ端子は、当該モジュラ端子板の中心から等距離に配置することを特徴とするモジュラ端子版。
【請求項２】
前記複数のモジュラ端子は、円型に配列されることを特徴とする請求項１に記載のモジュラ端子板。
【請求項３】
前記複数のモジュラ端子は、正多角形状に配列されることを特徴とする請求項１に記載のモジュラ端子板。
【請求項４】
前記束ケーブルを該モジュラ端子板の外周部から中心まで導入する導入壁を有することを特徴とする請求項１乃至３の何れか１項に記載のモジュラ端子板。
【請求項５】
前記ケーブルの方向を変えるための支軸を有することを特徴とする請求項１乃至４の何れか１項に記載のモジュラ端子板。
【発明の詳細な説明】
【０００１】
【発明の属する技術分野】
本発明は、モジュラ端子板に係り、特に、束ケーブルの効率的な結線作業を可能にするモジュラ端子板に関する。
【０００２】
【従来の技術】
近年、電話やコンピュータ等、通信機能を有する機器同士の回線を繋ぐ接続用端子としてモジュラ端子が用いられている。モジュラ端子本体には、モジュラジャックを有し、例えば、ＬＡＮケーブル等の先端に取り付けられたモジュラプラグが着脱自在に挿入することができる凹型のハウジングを有している。また、ハウジング内には、モジュラプラグの接触子に接触可能なコンタクトピンが複数配列されている。これにより、モジュラプラグをハウジングに挿入することでモジュラジャックと、モジュラプラグとが電気的に接続されることになる。
【０００３】
また、配列された複数のコンタクトピンには、外部から導入される束ケーブルを接続するための端子部が設けられており、端子部には、線をホールドするためのホールドスリットが形成され、ホールドスリットから束ケーブル内にある複数のケーブルのうち１本を端子部の上まで導入し、上から圧入することによって、端子部（スリット）がケーブルの絶縁被覆を剥ぎながら芯線を挟み込む形式が結線の容易さから多く用いられている。ここで、スリットとケーブルとの結線は、例えば、取り外し可能な揺動蓋をスリット方向に移動させることによりケーブルをスリットに押し込み結線を行う方法がある。（例えば、特許文献１参照。）。
【０００４】
上述したようなモジュラ端子は、一般的に１本の束ケーブルに有する複数のケーブルが複数のモジュラ端子に結線できるようモジュラ端子を端子板上に複数配列されている。ここで、従来のモジュラ端子が配列された端子板の例を図を用いて説明する。
【０００５】
図１は、従来のモジュラ端子が配列された端子板の一例を示す図である。
【０００６】
図１に示す端子板１１は、モジュラ端子１２とケーブルクランプ１３とから構成されている。ケーブルクランプ１３は、束ケーブル１４をネジ等で押止し固定する。ここで、束ケーブル１４は、複数（図１では、５本）のケーブル１５を有し、各モジュラ端子１２に送られる。モジュラ端子１２は、クランプ結線部１６とハウジング部１７とからなり、ケーブル１５は、クランプ結線部１６にて結線を行う。ここで、モジュラ端子とケーブルの結線方法を図を用いて説明する。
【０００７】
図２は、従来のモジュラ端子とケーブルの結線方法の一例を示す図である。
【０００８】
図２では、クランプ結線部１６に、１本のケーブル１５がスリットピン２２と結線するのを容易にし、更に、結線された線を固定するための線ホールドスリット２１が構成されている。ケーブル１５が線ホールドスリット２１に挿入されスリットピン２２の先端上に位置付けられると、特許文献１に示すように揺動蓋で押圧することにより、図３のスリット線とケーブルの結線の様子を示す一例のように、ケーブル１５の絶縁被覆を剥いで芯線２３とスリットピン２２との結線を行うことができる。また、ハウジング部１７には、端部にモジュラプラグを有するケーブルが挿入させることで電気的に接続されることになる。
【０００９】
図１で示すモジュラ端子板１１は、モジュラ端子１２を５個並列に配置されている。これにより、１本の束ケーブルから複数のモジュラ端子に結線を行うことができる。
【００１０】
【特許文献１】
特開平８―３７０４１号公報。
【００１１】
【発明が解決しようとする課題】
しかしながら、上述で示したモジュラ端子１２の配置構成の場合、１本の束ケーブル１４から複数のモジュラ端子１２に結線を行う場合、束ケーブル１４から配線されるケーブル１５の長さがモジュラ端子１２の距離によって変わってしまう。
【００１２】
ここで、上述の内容を図を用いて説明する。
【００１３】
図４は、図１に示すモジュラ端子の配置におけるケーブルの長さを示す一例の図である。
【００１４】
図４に示すように、束ケーブル１４にある複数のケーブル１５が夫々の結線先であるモジュラ端子までの距離に応じてケーブル１５の長さ（Ｌ１，Ｌ２，Ｌ３，Ｌ４，Ｌ５）を調節しなければならず、工具等を利用してケーブルを切断する作業が余分に発生し、結線作業が非効率となってしまう。また、ケーブルを必要とする最長の長さ（図４では、Ｌ５に合わせた長さにしてもよいが、ケーブル１５の配線が煩雑になり、好ましくない。
【００１５】
本発明は、上述した問題点に鑑みなされたものであり、ケーブル等の長さ調節や切断作業を省き、効率的にモジュラ端子とケーブル（束ケーブル）との結線を可能にするモジュラ端子板を提供することを目的とする。
【００１６】
【課題を解決するための手段】
上記課題を解決するために、本件発明は、以下の特徴を有する課題を解決するための手段を採用している。
【００１７】
請求項１に記載された発明は、束ケーブル内にある複数のケーブルを、複数の配列されたモジュラ端子に配線して、前記モジュラ端子と前記ケーブルとを結線するモジュラ端子板において、前記複数のモジュラ端子は、当該モジュラ端子板の中心から等距離に配置することを特徴とする。
【００１８】
請求項１記載の発明によれば、ケーブルの長さを調節する必要がなく、効率的に結線作業を行うことができる。
【００１９】
請求項２に記載された発明は、前記複数のモジュラ端子は、円型に配列されることを特徴とする。
【００２０】
請求項２記載の発明によれば、円の外周に接するようにモジュラ端子を配置することで、中心からのモジュラ端子の距離を同一（等距離）にすることができる。また、円型であるので、モジュラ端子板を保護する端子板カバーの作成が容易になる。
【００２１】
請求項３に記載された発明は、前記複数のモジュラ端子は、正多角形状に配列されることを特徴とする。
【００２２】
請求項３記載の発明によれば、正多角形を形成する辺に接するようにモジュラ端子を配置することによりに中心からのモジュラ端子の距離を同一（等距離）にすることができる。
【００２３】
請求項４に記載された発明は、前記束ケーブルを該モジュラ端子板の外周部から中心まで導入する導入壁を有することを特徴とする。
【００２４】
請求項４記載の発明によれば、束ケーブルをモジュラ端子板の中心部まで容易に導入することができる。
【００２５】
請求項５に記載された発明は、前記ケーブルの方向を変えるための支軸を有することを特徴とする。
【００２６】
請求項５記載の発明によれば、支軸を用いて、ケーブルが結線を行うモジュラ端子の設置されている方向へ容易に変えることができる。
【００２７】
【発明の実施の形態】
本発明は、モジュラ端子板の中心部から各モジュラ端子までの距離を同一（等距離）にするよう各モジュラ端子を配置し、束ケーブル（ケーブル）等の余長分の切断作業、調整作業の工程を省き、効率的な結線作業を行うことを特徴とする。
【００２８】
次に、本発明における実施の形態について、図を用いて説明する。なお、後述する実施例では、電話用のモジュラプラグを接続するために４線のモジュラジャックを具備するモジュラ端子を用いて説明するが、本発明において、モジュラジャックの構成は、この限りではなく、例えば、ＬＡＮケーブル用のモジュラプラグであれば、８線のモジュラジャックを有する構成となる。また、圧接スリット側は、８本のピンを有している。つまり、４線の場合は、１線につき２本のスリットを有する（Ｗ付け構造）。また、８線の場合は、１線につき１本のスリットを有する。
【００２９】
図５は、本発明におけるモジュラ端子板の第１の実施形態を示す図である。なお、図５では、モジュラ端子板の上面と側面から見た図を示している。
【００３０】
図５のモジュラ端子板５１は、モジュラ端子５２とケーブルクランプ５３と、束ケーブル５４をモジュラ端子板５１の中心部へ導くための導入壁５８とを有するよう構成されている。ケーブルクランプ５３は、束ケーブル５４をネジで押止し固定する。束ケーブル５４は、複数（図５では、１０本）のケーブル５５を有し、各モジュラジャック５２に送られる。モジュラ端子５２は、クランプ結線部５６とハウジング部５７とからなる。なお、モジュラ端子５２に示す構成は、上述したモジュラ端子１２と同様である。ここで、ケーブル５５は、各モジュラ端子５２のクランプ結線部５６にて結線される。また、ハウジング部５７には、端部にモジュラプラグを有するケーブルが挿入させることで電気的に接続されることになる。
【００３１】
図５に示すように、モジュラ端子５２をモジュラ端子板の中心から等距離になるように配置することにより、ケーブル５５の長さを一定にしたまま結線作業を行うことができ、余分な切断作業等の作業工程を有することなく結線を行うことができる。
【００３２】
ここで、中心部から配線されるケーブルは、クランプ結線部５６に形成される線ホールドスリット２１（図２）への挿入位置によって距離が異なることになるが、モジュラ端子板５１の中心からの距離に対して、線ホールドスリット２１の両端の幅は微少であるため無視することができる。
【００３３】
なお、本発明におけるモジュラ端子の配列は、中心からの距離が同一（等距離）となるように配置されるよう第１の実施形態においては円型に配置されている。このため、モジュラ端子板を保護する端子板カバーは、図５の側面図に示すように円柱型となる。これにより、端子板カバーの作成も容易になる。
【００３４】
また、図５に示すモジュラ端子板は、４芯のモジュラ端子が１０個ついた端子数８０のモジュラ端子板であるが、本発明におけるモジュラ端子の種類はこの限りではなく、また、配置される個数についてもこの限りではない。
【００３５】
各モジュラ端子５２へは、導入壁５８の端部を用いて方向を転換して所望のモジュラ端子５２に配線することができる。なお、本発明においては、導入壁５８の端部を利用せずに、別に支軸のみを独立させて設置してもよい。ここで、ケーブル５５が中心部から各モジュラ端子５２に配線される様子を図を用いて説明する。
【００３６】
図６は、束ケーブルが有するケーブルからモジュラ端子への配線の一例を示す図である。図６において、束ケーブル５４の両端にある導入壁５８の端点を端点６１及び６２とし、モジュラ端子板５１の中心を中心６３とする。ここで、束ケーブル５４は導入壁５８により、中心６３付近にまで容易に挿入することができる。中心６３付近まで挿入された束ケーブル５４から、ケーブル５５−１〜５５−１０が導入壁５８の端点６１又は６２を介して結線を行う対象となるモジュラ端子５２へ方向を変えて配線を行う。
【００３７】
これにより、端点６１、６２を用いてケーブル５５−１〜５５−１０の配線が煩雑になることがなく、容易にケーブルの方向転換を行いケーブル５５とモジュラ端子５２との結線を行うことができる。なお、ケーブルの方向転換の方法については、上述の限りではなく、例えば、端点６１、６２の位置に支軸を設け、その支軸を用いてケーブル５５−１〜５５−１０の方向転換を行ってもよく、また、中心６３に支軸を設け、その中心６３の支軸を用いて方向転換を行ってもよい。
【００３８】
また、結線には、特許文献１で示した方法を用いる他にも、例えば、本出願人にて出願されている特願２００２−１９４５９１号に示す方法を用いることができる。特願２００２−１９４５９１号に示す結線方法は、線ホールドスリットの配列方向に対して垂直方向に固定されたシャフトを有し、線圧入レバーは、前記シャフト方向に摺動することができ、更にスリット方向に回動可能となるようシャフトに軸着させ、結線の際には、前記線圧入レバーをスリット方向に回動させることで容易な結線を実現可能にしている。この方法を用いることで、結線を行う専用工具が必要なく、また、ケーブルの余長調整用の工具も必要ないため、工具レスタイプのモジュラ端子板を実現できる。
【００３９】
上述したように、本発明の第１の実施形態によれば、ケーブルの余長調整のための切断作業等、余分な作業工程を必要とせず結線作業の効率を向上させることができるモジュラ端子板を提供することができる。
【００４０】
なお、ケーブル５５の配線は、モジュラ端子１個毎に接続するだけではなく、複数のケーブル５５を同一のモジュラ端子に結線してもよい。また、本発明におけるモジュラ端子板５１に束ケーブル５４を導入するのではなくケーブル５５をそのまま導入してもよい。ここで、上述の内容を図を用いて説明する。
【００４１】
図７は、本発明におけるモジュラ端子板の結線方法の一例を示す図である。
【００４２】
図７に示すように、複数のケーブル７１を１つのモジュラ端子５２に結線することもでき、また、ケーブル７２のようにケーブルのままモジュラ端子板５１に導入することもできる。
【００４３】
更に、上述のモジュラ端子板は円型であったが、本発明においてはこの限りではなく、例えば、正多角形状のモジュラ端子板でもよい。その場合は、正多角形の外周の辺に接するようにモジュラ端子を配列して配置することで、モジュラ端子板の中心からモジュラ端子までの距離を同一にすることができるので、ケーブルの切断作業等の作業工程を省くことができ、作業効率を向上させることができる。ここで、上述の内容を図を用いて説明する。
【００４４】
図８は、本発明におけるモジュラ端子板の第２の実施形態を示す図である。図８では、モジュラ端子板の上面と側面から見た図を示している。
【００４５】
図８のモジュラ端子板８１は、正１２角形状に形成されており、モジュラ端子８２とケーブルクランプ８３と、束ケーブル８４をモジュラ端子板８１の中心部へ導くための導入壁８８とを有するよう構成されている。ケーブルクランプ８３は、束ケーブル８４をネジで押止し固定する。束ケーブル８４は、複数のケーブル８５を有し、各モジュラ端子８２に送られる。モジュラ端子８２は、クランプ結線部８６とハウジング部８７とからなり、モジュラ端子８２に示す構成は、上述のモジュラ端子１２，５２と同様である。
【００４６】
図８に示すように、モジュラ端子板８１を正多角形状に形成し、多角形を形成する辺に接するようモジュラ端子８２を設置することにより、モジュラ端子板８１の中心からモジュラ端子８２までの距離を同一にすることができるので、ケーブル８５の長さ調整作業及び切断作業等の作業工程を省くことができ、作業効率を向上させることができる
また、本発明において、モジュラ端子と結線する束ケーブルを、端子板の側面方向から中心に向けて導入したが、例えば、モジュラ端子板の中心に対して、その上又は下方向から束ケーブルを導入してもよい。
【００４７】
モジュラ端子板の中心部から各モジュラ端子までの距離を同一にするように各モジュラ端子を配置し、束ケーブル（ケーブル）等の余長分の切断作業、調整作業の工程を省き、効率的な結線作業を行うことができる。
【００４８】
また、モジュラ端子板を円型又は正多角形状に形成することにより、モジュラ端子板の中心部から各モジュラ端子までの距離を容易に同一（等距離）にすることができる。
【００４９】
なお、本発明は、具体的に開示された実施例に限定されるものではなく、特許請求した本発明の範囲から逸脱することなく、種々の変形例や実施例が考えられる。
【００５０】
【発明の効果】
上述の如く、本発明によれば、モジュラ端子板の中心部から各モジュラ端子までの距離を同一にするように各モジュラ端子を配置し、束ケーブル（ケーブル）等の余長分の切断作業、調整作業の工程を省き、効率的な結線作業を行うことができる。
【図面の簡単な説明】
【図１】従来のモジュラ端子が配列された端子板の一例を示す図である。
【図２】従来のモジュラ端子とケーブルの結線方法の一例を示す図である。
【図３】スリット線とケーブルの結線の様子を示す一例の図である。
【図４】図１に示すモジュラ端子の配置におけるケーブルの長さを示す一例の図である。
【図５】本発明におけるモジュラ端子板の第１の実施形態を示す図である。
【図６】束ケーブルが有するケーブルからモジュラ端子への配線の一例を示す図である。
【図７】本発明におけるモジュラ端子板の結線方法の一例を示す図である。
【図８】本発明におけるモジュラ端子板の第２の実施形態を示す図である。
【符号の説明】
１１，５１，８１　モジュラ端子板
１２，５２，８２　モジュラ端子
１３，５３，８３　ケーブルクランプ
１４，５４，８４　束ケーブル
１５，５５，７１，７２，８５　ケーブル
１６，５６，８６　クランプ結線部
１７，５７，８７　ハウジング部
５８，８８　導入壁
２１　線ホールドスリット
２２　スリットピン
６１，６２　端部
６３　中心
【図１】
2004111275.tif 000003
【図２】
2004111275.tif 000004
【図３】
2004111275.tif 000005
【図４】
2004111275.tif 000006
【図５】
2004111275.tif 000007
【図６】
2004111275.tif 000008
【図７】
2004111275.tif 000009
【図８】
2004111275.tif 000010